(57)【要約】【課題】  搬送ベルトと従動コロは、シート搬送が可能な最大のシートの厚み分程度しか離間しないため、もし破れたシートの紙片がシート搬送内に残ってしまった場合、その紙片がユーザには見えにくいため、シート詰まりの処理が正常に行われず、また紙片の存在を確認できても、その紙片をユーザが除去する事が非常に困難になってしまうという問題があったため、シート搬送装置全体を大型化せず、ユーザが確実にシート詰まりの処理を行える画像形成装置を提供する。【解決手段】  シート搬送装置は、スライド加圧補助手段を移動に連動して、シート搬送機構の加圧解除機構を行った後、シート搬送ユニットを回動し退避させるため、シート搬送ユニットの開口を大きくしなくても、シート詰まりの処理のスペースを十分確保でき、また装置の簡易化と安価な装置の提供が可能となる。【選択図】  図１０
2007314308.tif 000002
【特許請求の範囲】
【請求項１】
シートを搬送するシート搬送手段と、前記シート搬送手段に接離可能な従動搬送手段と、前記シート搬送手段に前記従動搬送手段を所定の当接力で当接する加圧手段と、前記加圧手段を加圧状態と圧解除状態に切り替えるシート搬送方向と平行方向に往復移動可能なスライド加圧補助手段と、前記従動搬送手段と前記加圧手段と前記スライド加圧補助手段をセット位置と退避位置に回動可能な搬送ユニットを有し、前記シート搬送手段と前記従動搬送手段でシートを挟持してシートを搬送するシート搬送装置において、前記スライド加圧補助手段の移動により、前記加圧手段を圧解除状態に切り替えた後、前記搬送ユニットが退避位置に回動可能であることを特徴としたシート搬送装置。
【請求項２】
前記スライド加圧補助手段は押圧部材を有し、この押圧部材は前記加圧手段に作用し、これを加圧状態と圧解除状態に切り替えることを特徴とした請求項１に記載のシート搬送装置。
【請求項３】
前記従動搬送手段と前記加圧手段を複数有し、前記スライド加圧補助手段は加圧手段と同数の前記押圧部材を有していることを特徴とした請求項１、２に記載のシート搬送装置。
【請求項４】
前記押圧部材は、回転するコロであることを特徴とした請求項２、３に記載のシート搬送装置。
【請求項５】
前記搬送ユニットをセット位置に保持するための保持手段を有し、前記スライド加圧補助手段が、前記加圧手段を圧解除状態に切り替えた後、前記保持手段を開放することを特徴とした請求項１〜４に記載のシート搬送装置。
【請求項６】
請求項１から５のシート搬送装置を具備した、画像形成装置。
【発明の詳細な説明】
【技術分野】
【０００１】
本発明は、シート材を搬送するシート搬送装置に関する。
【背景技術】
【０００２】
従来のシート搬送装置には、図１７に示すように、所定の速度で回転するシート搬送ローラ４４、４８、５０ａ、５０ｂとその周囲に巻かれた搬送ベルト４２、そのベルトに接離可能な従動コロ４３ａ〜４３ｄと図示せぬ従動コロバネで構成されている。
【０００３】
そして、シート搬送方向と略水平方向に往復移動可能な加圧補助板５４が、従動コロバネを加圧し、シートが搬送ベルト４２に所定の当接力で挟持されてシートの搬送が行われているものがある。
【０００４】
この構成は、たとえば封筒のように搬送されるシート材が複数枚で構成されていたり、シートの厚さが場所によって不均一であったりする時、それを高速に搬送するのに有効な構造である。
【０００５】
そのため、複数の従動コロ４３ａ〜４３ｄが独立して各々従動コロバネ５３ａ〜５３ｄで搬送ベルト４２に圧接しており、搬送ベルト４２と従動コロ４３ａ〜４３ｄの間に挟まれたシート材の形状変化に柔軟に追従できる構造になっている。
【０００６】
そして、シート搬送装置内でシート詰まりが生じた場合、図１２に示すように解除レバー５７を回動し、加圧補助板５４を左方向に移動して、従動コロバネ５３ａ〜５３ｄの圧解除を行う事で搬送ベルト４２と従動コロ４３ａ〜４３ｄを離間し、詰まったシートを簡易に取り除く事ができる構成となっている。
【特許文献１】特開２００６−１２４０４３
【発明の開示】
【発明が解決しようとする課題】
【０００７】
しかしながら、上記従来例では、搬送ベルト４２と従動コロ４３ａ〜４３ｄは、シート搬送が可能な最大のシートの厚み分程度しか離間しないため、もし破れたシートの紙片がシート搬送内に残ってしまった場合、その紙片がユーザには見えにくいため、シート詰まりの処理が正常に行われず、また紙片の存在を確認できても、その紙片をユーザが除去する事が非常に困難になってしまうという問題があった。
【０００８】
そこで、本発明は上記問題点に鑑み、シート搬送装置全体を大型化せず、ユーザが確実にシート詰まりの処理を行える画像形成装置を提供することを目的とする。
【課題を解決するための手段】
【０００９】
請求項１の発明は、シートを搬送するシート搬送手段と、前記シート搬送手段に接離可能な従動搬送手段と、前記シート搬送手段に前記従動搬送手段を所定の当接力で当接する加圧手段と、前記加圧手段を加圧状態と圧解除状態に切り替えるシート搬送方向と平行方向に往復移動可能なスライド加圧補助手段と、前記従動搬送手段と前記加圧手段と前記スライド加圧補助手段をセット位置と退避位置に回動可能な搬送ユニットを有し、前記シート搬送手段と前記従動搬送手段でシートを挟持してシートを搬送するシート搬送装置において、前記スライド加圧補助手段の移動により、前記加圧手段を圧解除状態に切り替えた後、前記搬送ユニットが退避位置に回動可能であることを特徴としたシート搬送装置。
【００１０】
請求項２の発明は、請求項１のシート搬送装置において、前記スライド加圧補助手段は押圧部材を有し、この押圧部材は前記加圧手段に作用し、これを加圧状態と圧解除状態に切り替えることを特徴としている。
【００１１】
請求項３の発明は、請求項１、２のシート搬送装置において、前記従動搬送手段と前記加圧手段を複数有し、前記スライド加圧補助手段は加圧手段と同数の前記押圧部材を有していることを特徴としている。
【００１２】
請求項４の発明は、請求項２、３のシート搬送装置において、前記押圧部材は、回転するコロであることを特徴としている。
【００１３】
請求項５の発明は、請求項１〜４のシート搬送装置において、前記搬送ユニットをセット位置に保持するための保持手段を有し、前記スライド加圧補助手段が、前記加圧手段を圧解除状態に切り替えた後、前記保持手段を開放することを特徴としている。
【００１４】
請求項６の発明は、請求項１〜５のシート搬送装置において、シート搬送装置を具備した、画像形成装置。
【発明の効果】
【００１５】
以上説明したように、本発明による構成を有するシート搬送装置は、スライド加圧補助手段の移動に連動して、シート搬送機構の加圧解除機構を行った後、シート搬送ユニットを回動し退避させるため、シート搬送ユニットの開口を大きくしなくても、シート詰まりの処理のスペースを十分確保でき、また装置の簡易化と安価な装置の提供が可能となる。
【発明を実施するための最良の形態】
【００１６】
以下に、図面を参照して本発明のシート搬送装置の構成を説明する。
【実施例１】
【００１７】
図１は本発明の実施例であるインクジェット方式のプリンタの断面図、図２、３は平面図である。
【００１８】
図１〜３に示すようにインクジェット方式のプリンタはインクジェトヘッドユニット１、キャリッジ装置２、回復装置３、シート搬送装置４等を備えている。インクジェトヘッドユニット１はインクタンク１０が装着可能で、インクを吐出するノズルを複数有している。
【００１９】
キャリッジ装置２には、インクジェトヘッドユニット１とインクタンク１０が装着される。そしてキャリッジ装置２は、キャリッジ軸２３、２４にガイドされており、キャリッジ軸２３、２４の軸上を移動可能であり、またキャリッジ装置２は、タイミングベルト２１に取り付き、キャリッジモータ２２の駆動で、回復装置３と対向した位置（図２）と印字位置（図３）の往復移動が可能である。
【００２０】
回復装置３はインクジェトヘッド１の清掃やインクジェットヘッド１を使用しない時にノズルが乾燥しないように保管する機能を有している。シート搬送装置４は、デッキプレート４１上に挿入された印字媒体を図示せぬ搬送モータで駆動される搬送ベルト４２と、搬送ベルト４２に付勢する従動コロ４３ａ〜４３ｄで挟持して搬送を行う。また、搬送従動プーリ４４にエンコーダホイール４６を有し、エンコーダセンサ４５で搬送ベルトの速度を検知し、搬送速度が常に一定となるよう搬送モータを制御している。
【００２１】
ここで、本実施例の印字動作についてフローチャート（図４）を用いて説明する。ユーザが印字媒体をシート搬送装置４のデッキプレート４１に挿入すると、シート搬送装置４の入口部近傍に配置された入口センサ４７が印字媒体を検知し（S１）、キャリッジモータ２２が駆動し（S２）、キャリッジ装置２が印字位置まで移動して、キャリッジモータ２２をＯＦＦにする（S３、４）。
【００２２】
その後、搬送モータが駆動し（S５）、印字媒体は搬送ベルト４２により、搬送された印字媒体が、インクジェットヘッド１直下に到達した時点で、インクジェットヘッド１が印字媒体に対してインクを噴射して印字する（S６、７）。そして、搬送モータをＯＦＦ（Ｓ８）してから、キャリッジモータ２２を駆動して、キャリッジ装置２を回復装置３に対向した位置H.P（ホームポジション）まで移動させて、キャリッジモータ２２をＯＦＦする（S９〜１１）。
【００２３】
次に本実施例のシート搬送装置４について説明する。図５、６は搬送装置４の断面図、図７は搬送装置４の斜視図である。
【００２４】
搬送ベルト４２は、無端のゴム製ベルトであり、搬送駆動プーリ４８と搬送従動プーリ４４に掛けられ、プーリテンショナー４９で所定の張力が与えられている。そして搬送駆動プーリ軸４８は、図示せぬモータで駆動される。また搬送ベルト４２には、２個のバックアッププーリ５０ａ、５０ｂが配置され、従動コロ４３ｂ、４３ｃが当接しても、搬送ベルト４２のたわみを防止する構成となっている。
【００２５】
搬送ベルト４２には４個の従動コロ４３ａ〜４３ｄが配置してあり、従動コロ４３ａ〜４３ｄは従動コロアーム５１ａ〜５１ｄに回転可能に支持されている。従動コロアーム５１ａは、ボス５２ａを形成し、ボス５２ａを中心に揺動可能で、搬送底板５５に軸支されている。また、従動コロアーム５１ｂ〜５１ｄは、従動コロ軸５２ｂ〜５２ｄが取り付き、従動コロ軸５２を中心に揺動可能で、搬送底板５５に軸支されている。
【００２６】
図８は従動コロアーム５１ｂの周りの斜視図である。従動コロ軸５２ｂには、従動コロバネ５３ａが取り付き、従動コロ軸５２ｂを中心にネジリコイルバネ５３ｂが、回動可能となっている。
【００２７】
図５に示すように、従動コロアーム５１ｂに取り付いている従動コロバネ５３ａが従動コロアーム５１ａに作用して、従動コロ４３ａを搬送ベルト４２に付勢している。すなわち、従動コロアーム５１に取り付いている従動コロバネ５３は、一つ上流側の従動コロアーム５１に作用し、従動コロ４３を搬送ベルト４２に付勢する構成となっている。
【００２８】
なお、最下流側の従動コロアーム５１ｄは、最下流側の従動コロ軸５２ｅに取り付いたネジリコイルバネ５３ｄが、作用する構成となっている。そして、従動コロ軸５２ｂ〜５２ｅの下部には、加圧補助板５４が配置され、搬送底板５５上をシート搬送方向に往復移動可能となっている。
【００２９】
加圧補助板５４には、加圧コロ５６ａ〜５６ｄが回転可能に取り付いている。これらは、加圧補助板５４が搬送底板５５上を往復移動する時の抵抗を軽減する。
【００３０】
また、加圧コロ５６ａ〜５６ｄは従動コロバネ５３ａ〜５３ｄの他端と相対した位置にあり、加圧補助板５４が右端まで移動すると加圧コロ５６が押圧部材として従動コロバネ５３の他端を押し上げるので、加圧状態となり、従動コロ４３が搬送ベルト４２に付勢する。加圧補助板５４が左に移動すると、従動コロバネ５３の他端が加圧コロ５６から開放され、加圧解除されるので、従動コロアーム５１が自重で回動可能となり、従動コロ４３が搬送ベルト４２から離間する（図６）。
【００３１】
加圧コロ５６ａ〜５６ｄは、回転しない部材でもよい。その場合は、加圧補助板５４が搬送底板５５上を往復移動する時の抵抗が若干大きくなるため、加圧、解除の操作に力が必要になるが、コロが不要な分コストを下げることができる。
【００３２】
次に、本実施例について説明する。図９、１０はプリンタの斜視図、図１１、１２は搬送装置４の右側面図、図１３、１４は搬送装置４の部分拡大斜視図である。
【００３３】
加圧補助板５４には、離間補助コロ５９ａ、５９ｂが回転可能に取り付いている。この離間補助コロ５９ａ、５９ｂは、シート搬送装置４の下方に形成され、所定の距離の平行部６０ａと傾斜部６０ｂを有したマウンド部６０の外形に当接しながら、移動可能となっている。またシート搬送装置４は、プリンタの左右側板６１,６２に配置された回動軸６３,６４を中心に回動する構成となっている。
【００３４】
そのため、加圧補助板５４が左方向に移動すると、離間補助コロ５９ａ、５９ｂがマウンド部６０の傾斜部６０ｂを滑り降り、シート搬送装置４が開口する（図１０、１２、１４）。そして本発明では、離間補助コロ５９ａ、５９ｂがマウンド部６０の平行部６０ａに位置している間に、従動コロバネ５３の圧解除が完了するように構成されているため、従動コロ４３が搬送ベルト４２から離間した後にシート搬送装置４の開口が可能となっている。
【００３５】
また、加圧補助板５４に、ボス５４ａが形成しており、搬送底板５５には、回動自在な解除レバー５７が取り付いている。解除レバー５７にはＵ字溝５７ａが形成され、ボス５４ａがはまり込んでいる。このため、解除レバー５７を回動する事により、加圧補助板５４を左右に移動する事ができる。したがって、シート搬送装置４内でシート詰まりが生じた時、解除レバー５７を時計回りに回転することで、加圧補助板５４が左端に移動し、従動コロ４３が搬送ベルト４２から離間した後、シート搬送装置４が開口するので、シートを容易に取り除く事ができる。
【実施例２】
【００３６】
次に第２の実施例について説明する。図１５、１６は第２の実施例の搬送ユニットの斜視図である。搬送底板５５には、保持軸６６が回動可能に取り付き、搬送ユニット保持部材６５ａ、６５ｂが保持軸６６に取り付いている。
【００３７】
この搬送ユニット保持部材６５ａ、６５ｂは、図１５に示すように、プリンタの底板部６９に当接してシート搬送装置４をセット位置に保持可能となっている。そして加圧補助板５４の底部には、ラック５４ｂが形成され、搬送底板５５の底面から突出しており、また、保持軸６６にギア６７が取り付き、ギア列６８を介してラック５４ｂと連結している。
【００３８】
そのため、加圧補助板５４を左方向に移動すると、保持軸が矢印方向に回転する構成となっている。シート搬送装置４内でシート詰まりが生じた時、解除レバー５７を時計回りに回転することで、搬送ユニット保持部材６５ａ、６５ｂが回動し、まずは従動コロ４３が搬送ベルト４２から離間し、そして図１６に示すように、シート搬送装置４が回動軸６３,６４を中心に開口する。
【００３９】
以上、本発明を実施形態に基づき具体的に説明したが、本発明は上記実施形態に限定されるものではなく、その要旨を逸脱しない範囲で種々変形可能であることは言うまでもない。
【００４０】
たとえば、実施例ではシート搬送手段として搬送ベルト４２を用いた場合について述べたが、これは何もベルトを用いなくとも本発明は成り立つ。その場合には、搬送駆動プーリ４８、搬送従動プーリ４４、バックアッププーリ５０ａ、５０ｂの４つをすべて駆動ローラとして構成し、従動コロ４３ａ〜４３ｄをそれらに加圧すればよい。
【００４１】
また、本実施例ではインクジェットプリンタを例に説明したが、インクジェット以外の画像形成装置の場合でも、本発明は成り立つ。
【００４２】
以上説明したように、本発明によればシートを搬送する際にシート詰まりが発生しても、容易に加圧を解除と搬送ユニットを離間してそれを処理でき、かつ装置の大型化や大きなコストアップもなく簡単な構成でそれを実現することができる。
【図面の簡単な説明】
【００４３】
【図１】本発明第一の実施例に係る装置全体の断面図
【図２】本発明の第１の実施例に係る装置の平面図
【図３】本発明の第１の実施例に係る装置の平面図
【図４】本発明の第１の実施例に係る印字動作のフローチャート
【図５】本発明の第１の実施例に係る搬送装置の断面図
【図６】本発明の第１の実施例に係る搬送装置の断面図
【図７】本発明の第１の実施例に係る搬送装置の斜視図
【図８】本発明の第１の実施例に係る従動コロアームの周りの斜視図
【図９】本発明の第１の実施例に係る装置の斜視図
【図１０】本発明の第１の実施例に係る装置の斜視図
【図１１】本発明の第１の実施例に係る装置の左側面
【図１２】本発明の第１の実施例に係る装置の左側面
【図１３】本発明の第１の実施例に係る搬送装置の部分拡大斜視図
【図１４】本発明の第１の実施例に係る搬送装置の部分拡大斜視図
【図１５】本発明の第２の実施例に係る搬送装置の斜視図
【図１６】本発明の第２の実施例に係る搬送装置の斜視図
【図１７】従来の搬送状態を示す実施例
【図１８】従来の解除状態を示す実施例
【符号の説明】
【００４４】
１  インクジェットヘッドユニット
２  キャリッジ
３  回復装置
４  搬送装置
１０  インクタンク
２１  タイミングベルト
２２  キャリッジモータ
２３  キャリッジ軸
２４  キャリッジ軸
４１  デッキプレート
４２  搬送ベルト
４３ａ、４３ｂ、４３ｃ、４３ｄ  従動コロ
４４  搬送従動プーリ  
４５  エンコーダセンサ
４７  入口センサ
５０ａ、５０ｂ  バックアッププーリ
５１ａ、５１ｂ、５１ｃ、５１ｄ  従動コロアーム
５２ａ、５２ｂ、５２ｃ、５２ｄ、５２ｅ  従動コロ軸
５３ａ、５３ｂ、５３ｃ、５３ｄ  従動コロバネ
５４  加圧補助板
５５  搬送底板
５６ａ、５６ｂ、５６ｃ、５６ｄ  加圧コロ
５９ａ、５９ｂ  離間補助コロ
６０  マウンド部
【図１】
2007314308.tif 000003
【図２】
2007314308.tif 000004
【図３】
2007314308.tif 000005
【図４】
2007314308.tif 000006
【図５】
2007314308.tif 000007
【図６】
2007314308.tif 000008
【図７】
2007314308.tif 000009
【図８】
2007314308.tif 000010
【図９】
2007314308.tif 000011
【図１０】
2007314308.tif 000012
【図１１】
2007314308.tif 000013
【図１２】
2007314308.tif 000014
【図１３】
2007314308.tif 000015
【図１４】
2007314308.tif 000016
【図１５】
2007314308.tif 000017
【図１６】
2007314308.tif 000018
【図１７】
2007314308.tif 000019
【図１８】
2007314308.tif 000020